【手続補正書】
【提出日】平成28年3月1日(2016.3.1)
【手続補正１】
【補正対象書類名】特許請求の範囲
【補正対象項目名】全文
【補正方法】変更
【補正の内容】
【特許請求の範囲】
【請求項１】
公営競技の投票券を購入するための操作の履歴を記憶する記憶手段から、ユーザによる１以上のレースについての操作の履歴を取得する取得手段と、
前記取得手段により取得された前記履歴から特定される操作の状況に基づいて、前記投票券の購入についての前記ユーザの熟練度を判定する判定手段と、
前記判定手段により判定された前記熟練度に応じて、前記ユーザからの要求に応じたレースの情報の表示を制御する制御手段と、
を備えることを特徴とする情報処理装置。
【請求項２】
請求項１に記載の情報処理装置において、
前記取得手段は、前記投票券のオッズが表示されているときに前記オッズを最新のオッズに更新する操作を示す前記履歴を取得し、
前記判定手段は、前記オッズを更新する操作の頻度が高いほど、前記熟練度が高いと判定することを特徴とする情報処理装置。
【請求項３】
請求項１又は請求項２に記載の情報処理装置において、
前記取得手段は、前記レースに出場するレース対象に関する情報を表示する操作を示す前記履歴と、前記レースの結果の予想の情報を表示する操作を示す前記履歴と、を取得し、
前記判定手段は、前記予想の情報の表示時間に対する前記レース対象に関する情報の表示時間の比率が高いほど、前記熟練度が高いと判定することを特徴とする情報処理装置。
【請求項４】
請求項１乃至３の何れか１項に記載の情報処理装置において、
前記取得手段は、前記レースに出場するレース対象に関する情報を表示する操作を示す前記履歴を取得し、且つ、前記投票券のオッズの情報を表示する操作を示す前記履歴、及び前記レースの結果の予想の情報を表示する操作を示す前記履歴の少なくとも一方を取得し、
前記判定手段は、前記レース対象に関する情報が表示された後、次に前記オッズの情報及び前記予想の情報の何れかが表示された場合、前記レース対象に関する情報の表示時間が短いほど、前記熟練度が低いと判定することを特徴とする情報処理装置。
【請求項５】
請求項１乃至４の何れか１項に記載の情報処理装置において、
前記取得手段は、前記投票券の購入操作を示す前記履歴を取得し、
前記判定手段は、前記レースに出場するレース対象の中で投票されたレース対象及び枠の少なくとも何れかの数が多いほど、前記熟練度が高いと判定することを特徴とする情報処理装置。
【請求項６】
請求項１乃至５の何れか１項に記載の情報処理装置において、
前記制御手段は、前記ユーザからの要求に応じたレースの投票券のオッズであって、所定のタイミングで更新されるオッズを記憶するオッズ記憶手段に記憶された前記オッズが表示されているとき、前記オッズの表示を、前記オッズ記憶手段に記憶された最新のオッズに基づいて周期的に更新させ、前記判定手段により判定された前記熟練度が高いほど、前記オッズの表示を更新する周期を短くすることを特徴とする情報処理装置。
【請求項７】
請求項１乃至６の何れか１項に記載の情報処理装置において、
前記制御手段は、前記ユーザからの要求に応じたレースの投票券のオッズであって、所定のタイミングで更新されるオッズを記憶するオッズ記憶手段に記憶された前記オッズが表示されているとき、前記判定手段により判定された前記熟練度が所定の熟練度以上である場合にのみ、前記オッズの表示を、前記オッズ記憶手段に記憶された最新のオッズに基づいて周期的に更新させることを特徴とする情報処理装置。
【請求項８】
請求項１乃至７の何れか１項に記載の情報処理装置において、
前記制御手段は、前記ユーザからの要求に応じたレースに出場するレース対象に関する情報を表示させ、前記判定手段により判定された前記熟練度が高いほど、前記レース対象に関する情報の情報量を多くすることを特徴とする情報処理装置。
【請求項９】
請求項１乃至８の何れか１項に記載の情報処理装置において、
前記判定手段は、前記記憶手段に記憶された前記履歴のうち、前記投票券の購入時までに記憶された前記履歴に基づいて、前記熟練度を判定することを特徴とする情報処理装置。
【請求項１０】
コンピュータにより実行される情報処理方法であって、
公営競技の投票券を購入するための操作の履歴を記憶する記憶手段から、ユーザによる１以上のレースについての操作の履歴を取得する取得ステップと、
前記取得ステップにより取得された前記履歴から特定される操作の状況に基づいて、前記投票券の購入についての前記ユーザの熟練度を判定する判定ステップと、
前記判定ステップにより判定された前記熟練度に応じて、前記ユーザからの要求に応じたレースの情報の表示を制御する制御ステップと、
を含むことを特徴とする情報処理方法。
【請求項１１】
コンピュータを、
公営競技の投票券を購入するための操作の履歴を記憶する記憶手段から、ユーザによる１以上のレースについての操作の履歴を取得する取得手段、
前記取得手段により取得された前記履歴から特定される操作の状況に基づいて、前記投票券の購入についての前記ユーザの熟練度を判定する判定手段、及び、
前記判定手段により判定された前記熟練度に応じて、前記ユーザからの要求に応じたレースの情報の表示を制御する制御手段、
として実行させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、公営競技の投票券を購入するための操作の履歴を記憶する記憶手段から、ユーザによる１以上のレースについての操作の履歴を取得する取得手段と、前記取得手段により取得された前記履歴から特定される操作の状況に基づいて、前記投票券の購入についての前記ユーザの熟練度を判定する判定手段と、前記判定手段により判定された前記熟練度に応じて、前記ユーザからの要求に応じたレースの情報の表示を制御する制御手段と、を備えることを特徴とする。
【手続補正３】
【補正対象書類名】明細書
【補正対象項目名】０００７
【補正方法】変更
【補正の内容】
【０００７】
この発明によれば、情報処理装置は、投票券を購入するための操作の履歴に基づいて、ユーザの熟練度を判定する。そして、情報処理装置は、熟練度に応じて、ユーザからの要求に応じたレースの情報の表示を制御する。そのため、ユーザの手間を増やさずに、ユーザに応じて適切な情報を自動的に提供することができる。
【手続補正４】
【補正対象書類名】明細書
【補正対象項目名】００１６
【補正方法】変更
【補正の内容】
【００１６】
請求項６に記載の発明は、請求項１乃至５の何れか１項に記載の情報処理装置において、前記制御手段は、前記ユーザからの要求に応じたレースの投票券のオッズであって、所定のタイミングで更新されるオッズを記憶するオッズ記憶手段に記憶された前記オッズが表示されているとき、前記オッズの表示を、前記オッズ記憶手段に記憶された最新のオッズに基づいて周期的に更新させ、前記判定手段により判定された前記熟練度が高いほど、前記オッズの表示を更新する周期を短くすることを特徴とする。
【手続補正５】
【補正対象書類名】明細書
【補正対象項目名】００１８
【補正方法】変更
【補正の内容】
【００１８】
請求項７に記載の発明は、請求項１乃至６の何れか１項に記載の情報処理装置において、前記制御手段は、前記ユーザからの要求に応じたレースの投票券のオッズであって、所定のタイミングで更新されるオッズを記憶するオッズ記憶手段に記憶された前記オッズが表示されているとき、前記判定手段により判定された前記熟練度が所定の熟練度以上である場合にのみ、前記オッズの表示を、前記オッズ記憶手段に記憶された最新のオッズに基づいて周期的に更新させることを特徴とする。
【手続補正６】
【補正対象書類名】明細書
【補正対象項目名】００２０
【補正方法】変更
【補正の内容】
【００２０】
請求項８に記載の発明は、請求項１乃至７の何れか１項に記載の情報処理装置において、前記制御手段は、前記ユーザからの要求に応じたレースに出場するレース対象に関する情報を表示させ、前記判定手段により判定された前記熟練度が高いほど、前記レース対象に関する情報の情報量を多くすることを特徴とする。
【手続補正７】
【補正対象書類名】明細書
【補正対象項目名】００２４
【補正方法】変更
【補正の内容】
【００２４】
請求項１０に記載の発明はコンピュータにより実行される情報処理方法であって、公営競技の投票券を購入するための操作の履歴を記憶する記憶手段から、ユーザによる１以上のレースについての操作の履歴を取得する取得ステップと、前記取得ステップにより取得された前記履歴から特定される操作の状況に基づいて、前記投票券の購入についての前記ユーザの熟練度を判定する判定ステップと、前記判定ステップにより判定された前記熟練度に応じて、前記ユーザからの要求に応じたレースの情報の表示を制御する制御ステップと、を含むことを特徴とする。
【手続補正８】
【補正対象書類名】明細書
【補正対象項目名】００２５
【補正方法】変更
【補正の内容】
【００２５】
請求項１１に記載の発明は、コンピュータを、公営競技の投票券を購入するための操作の履歴を記憶する記憶手段から、ユーザによる１以上のレースについての操作の履歴を取得する取得手段、前記取得手段により取得された前記履歴から特定される操作の状況に基づいて、前記投票券の購入についての前記ユーザの熟練度を判定する判定手段、及び、前記判定手段により判定された前記熟練度に応じて、前記ユーザからの要求に応じたレースの情報の表示を制御する制御手段、として実行させることを特徴とする。